(57)【要約】      （修正有）【課題】持ち運びや収納が容易である折り畳みハンガーを提供する。【解決手段】アーチ状に弾性変形可能で上下方向に直線状に延び、互いに重ね合わされた状態で上下端部がそれぞれ連結部４等で連結されている細長の平板状の一対の弾性アーム２と、一対の弾性アーム間を上下方向に延び、一端が一方の連結部に係合し、他端が他方の連結部を貫通している紐状部材６と、紐状部材に設けられ、一対の弾性アームの上下の連結部が互いに近付くように当該一対の弾性アームをアーチ状に弾性変形させて開状態にし、この開状態を保持すべく他方の連結部に離脱可能に係合する掛止部７とを備えている。【選択図】図４
0003182756.tif 000002
【実用新案登録請求の範囲】
【請求項１】
上下方向に直線状に延びてアーチ状に弾性変形可能であるとともに、互いに重ね合わされた状態で上下端部がそれぞれ連結部で連結されている細長板状の一対の弾性アームと、
前記一対の弾性アーム間を上下方向に延び、一端が一方の連結部に係合し、他端が他方の連結部を貫通している紐状部材と、
前記紐状部材に設けられ、前記他方の連結部に離脱可能に係合する掛止部とを備え、
前記一対の弾性アームの上下の連結部が互いに近付くように当該一対の弾性アームをアーチ状に弾性変形させて開状態にし、この開状態で前記他方の連結部に前記掛止部を係合させて当該開状態を保持し、この開状態の一対の弾性アームの上方側箇所を肩掛部として衣類の肩部が掛けられるようにしたことを特徴とする折り畳みハンガー。
【請求項２】
前記肩掛部は、当該肩掛部以外の前記弾性アームより厚さが厚く形成されている請求項１に記載の折り畳みハンガー。
【請求項３】
前記肩掛部を、前記一対の弾性アームの外表面に積層状態で取り付けられた細長板状の一対の肩掛アームで形成し、この一対の肩掛アームは、前記開状態のとき、下方側が互いに離間する方向に移動してハの字状に開くように形成されている請求項１に記載の折り畳みハンガー。
【請求項４】
前記紐状部材が、合成繊維製の糸状体又は帯状体である請求項１〜３のいずれか１項に記載の折り畳みハンガー。
【請求項５】
前記掛止部が、コードストッパーである請求項１〜４のいずれか１項に記載の折り畳みハンガー。
【請求項６】
前記上方の連結部には、フックが折り畳み可能に取り付けられている請求項１〜５のいずれか１項に記載の折り畳みハンガー。
【考案の詳細な説明】
【技術分野】
【０００１】
本考案は、主に衣類を掛ける折り畳み式のハンガーに係り、特に持ち運びや収納が容易である折り畳みハンガーに関するものである。
【背景技術】
【０００２】
ハンガーは、洗濯物を干したり衣類を収納したりする際に使用されるものである。ハンガーの１つとして、不使用時、収納時に折り畳める折り畳みハンガーがある。折り畳みハンガーは、直線状に延びアーチ状に弾性変形可能で間隔をあけて並列された細長の平板状の一対の弾性アームと、一対の弾性アームの両端をそれぞれ連結し弾性アームに対して直交方向に延びる２つの連結部と、一対の弾性アームの間を延び一端が上方の連結部に連結され他端が下方の連結部を貫通する細長の平板状の支軸と、他方の連結部に設けられ支軸に離脱可能に係合する係合手段とを備えたものが提案されている（特許文献１参照。）。
【０００３】
この折り畳みハンガーは、不使用時には、支軸が係合手段に係合していないすなわち一対の弾性アームが直線状に延びた閉状態（折り畳み状態）にすることができる。この折り畳み状態からハンガーとして使用する場合には、一方の手で支軸の他端を掴み、他方の手で下方の連結部やその近傍の弾性アームを掴んでこの下方の連結部を上方の連結部側に移動させると、下方の連結部が上方の連結部に近づく方向に移動して一対の弾性アームがアーチ状に弾性変形して開状態になる。この状態のとき、係合部を支軸に係合させると、ハンガーが開状態に保持され、ハンガーとして利用することが可能となる。
【先行技術文献】
【特許文献】
【０００４】
【特許文献１】特開２００６−１４９９２５号公報
【考案の概要】
【考案が解決しようとする課題】
【０００５】
ところで、上記の折り畳みハンガーは、折り畳み状態のとき、一対の弾性アームと２つの連結部とが同一平面上で細長の略ロ字状に形成されて扁平状となって厚さが薄いが、しかし、幅（弾性アームの長手方向に対して直交する方向の長さ）が広いので持ち運ぶときや収納するときに場所をとって持ち運び難かったり収納し難かったりすることがあった。
本考案が解決しようとする課題は、持ち運びや収納が容易である折り畳みハンガーを提供することにある。
【課題を解決するための手段】
【０００６】
前記課題を解決するため本考案に係る折り畳みハンガーは、上下方向に直線状に延びてアーチ状に弾性変形可能であるとともに、互いに重ね合わされた状態で上下端部がそれぞれ連結部で連結されている細長板状の一対の弾性アームと、前記一対の弾性アーム間を上下方向に延び、一端が一方の連結部に係合し、他端が他方の連結部を貫通している紐状部材と、前記紐状部材に設けられ、前記他方の連結部に離脱可能に係合する掛止部とを備え、前記一対の弾性アームの上下の連結部が互いに近付くように当該一対の弾性アームをアーチ状に弾性変形させて開状態にし、この開状態で前記他方の連結部に前記掛止部を係合させて当該開状態を保持し、この開状態の一対の弾性アームの上方側箇所を肩掛部として衣類の肩部が掛けられるようにしたことを特徴とする。
【０００７】
このように構成されていることから、一方の手で他方の連結部やその近傍の弾性アームを掴み、他方の手で紐状部材の他端を掴んでこの紐状部材の他端側が他方の連結部から延びるように引っ張る。すると、一方の連結部が他方の連結部に近づく方向に移動しつつ一対の弾性アームが弾性力に抗して中央が互いに離れる方向にそれぞれアーチ状に弾性変形して開状態になる。この開状態のとき、掛止部を他方の連結部に係合させると、一対の弾性アームが開いた開状態に保持され、主に衣類を掛けるハンガーとして使用することが可能となる。
また、不使用時、収納時には、掛止部の他方の連結部との係合を解除すると、一対の弾性アームが弾性力により直線状に延びた元の状態に戻って互いに重ね合わされて、折り畳み状態になる。この一対の弾性アームの間に紐状部材が延びている。したがって、折り畳まれたハンガーは、幅が弾性アームの幅で、厚さが弾性アームの厚さの２倍程度であるので、嵩張ることがなく持ち運びや収納が容易でとても便利である。
【０００８】
この考案では、肩掛部を、当該肩掛部以外の前記弾性アームより厚さが厚く形成したり、一対の弾性アームの外表面に積層状態で取り付けられ開状態のとき下方側が互いに離間する方向に移動してハの字状に開く細長板状の一対の肩掛アームで形成したりすることができる。この場合において、紐状部材に合成繊維製の糸状体又は帯状体を用いることができる。また、掛止部にコードストッパーを用いることができる。さらに、上方の連結部に、フックを折り畳み可能に取り付けることができる。
【考案の効果】
【０００９】
本考案によれば、持ち運びや収納が容易である折り畳みハンガーが得られる。
【図面の簡単な説明】
【００１０】
【図１】本考案に係る第１の折り畳みハンガーの一例の実施形態を示す側面図である。
【図２】本実施形態の第１の折り畳みハンガーの上方の部分を示す斜視図である。
【図３】本実施形態の第１の折り畳みハンガーの下方の部分を示す斜視図である。
【図４】本実施形態の第１の折り畳みハンガーが開状態に保持されている一例を示す斜視図である。
【図５】本実施形態の第２の折り畳みハンガーの一例を示す側面図である。
【図６】本実施形態の第２の折り畳みハンガーが開状態に保持されている一例を示す斜視図である。
【考案を実施するための形態】
【００１１】
以下、本考案に係る折り畳みハンガーの一実施形態を添付図面に基づいて説明する。本実施形態の一例の第１の折り畳みハンガー１は、図１〜図４に示すように、アーチ状に弾性変形可能で互いに重ね合わされた状態で上下端部がそれぞれ連結部３、４で連結されている一対の弾性アーム２，２と、一対の弾性アーム２，２間を延び、一端が一方の連結部４に係合し、他端が他方の連結部３を貫通している紐状部材６と、一対の弾性アーム２，２がアーチ状に弾性変形した開状態を保持する掛止部７とを備えている。
【００１２】
一対の弾性アーム２，２は、アーチ状に弾性変形可能に例えば合成樹脂で幅が狭い細長の平板状にそれぞれ形成されている。弾性アーム２の長手方向の長さは、一対の弾性アーム２，２をアーチ状に弾性変形させて開状態になったとき、主に衣類等を掛けられる寸法から任意に設定される。また、弾性アーム２の幅は、ハンガーのアームとして使用し得る寸法から任意に設定される。一対の弾性アーム２，２は、上下方向に直線状に延びて互いに重ね合わされた状態で上下端部がそれぞれ連結部３、４で連結されている。
【００１３】
上下端部が連結部３、４で連結された一対の弾性アーム２，２は、例えば、合成樹脂で一体成形されている。この一対の弾性アーム２，２の上下方向の中央よりやや上方から上端までの箇所（一対の弾性アーム２，２が開状態となったときに衣類の肩部が掛けられる上方箇所（肩掛部））２ａの厚さは、それ以外の箇所より厚く形成されていることが好ましい。これにより、開状態となった一対の弾性アーム２，２に衣類等を掛けたとき、弾性アーム２，２の開状態の形が保持されて型崩れが抑制されるようになっている。
【００１４】
なお、連結部で連結された一対の弾性アーム２，２は、一体成形されていなくてもよく、例えば、弾性アームの２倍の長さのアーム素材を中間で折り曲げて２つ折りにし、折り曲げた箇所を下方の連結部とした一対の弾性アームを形成し、この一対の弾性アームの上端部を連結部材で連結してもよい。連結部材としては、例えば、中間で折り曲げて２つ折りにし、折り曲げた箇所を上方の連結部とした連結部材を用いてもよい。この連結部材の２つの片の内側に一対の弾性アームの上端を位置させて、連結部材の２つの片の内表面と一対の弾性アームの外表面をそれぞれ固着することで、一対の弾性アームの上端を連結部材で連結することができる。このとき連結部材の２つの片を上記の上方箇所２ａに相当する位置まで延ばして実質的に一対の弾性アームの上方箇所の厚さを厚くするようにしてもよい。また、アーム素材を中間で折り曲げて上端部が連結されている一対の弾性アームの下端部を連結部材を用いて連結するようにしてもよいし、連結されていない一対の弾性アームの上下端部を２つの連結部材でそれぞれ連結するようにしてもよい。
【００１５】
紐状部材６は、一対の弾性アーム２，２間を上下方向に延びるもので、切れ難く一対の弾性アーム２，２の間に位置されても弾性アーム２，２間の間隔を狭くすることができるものが好ましい。紐状部材６としては、例えば、合成繊維製の糸状体又はフィルム状などの帯状体等であることが好ましく、特に合成繊維製の糸状体例えば釣り糸等が好ましい。
【００１６】
釣り糸を紐状部材６として用いた場合、釣り糸の本数は、１本でも２本以上でもよく、また、１本の釣り糸を一対の弾性アーム２，２間で２本が延びるようにして用いてもよい。すなわち、弾性アーム２の長手方向の長さより２倍以上の長さの釣り糸の例えば中間を下方の連結部４に係合させる。この係合は、下方の連結部４に幅方向に間隔をあけて形成した２つの穴に紐状部材６を通して行ってもよいし、下方の連結部４の幅方向の両側に幅方向に沿ってスリット４１をそれぞれ形成し、例えば紐状部材６の中間を下方の連結部４の下端部（外表面）に当接させて中間から延びる各紐状部材６をそれぞれスリット４１に通すようにしてもよい（特に図３及び図４参照。）。これにより、１本の紐状部材６で一対の弾性アーム２，２間で２本の紐状部材６が延びるようにすることができる。なお、紐状部材６の一端の係合は、下方の連結部４に固定するようにしてもよい。
【００１７】
紐状部材６の他端は、上方の連結部３を貫通している。２本の釣り糸が一対の弾性アーム２，２間で延びている場合、例えば、上方の連結部３の幅方向の中央寄りに幅方向に間隔をあけて釣り糸が１本だけ通るような穴３１を２つ設け、これら穴３１を２本の釣り糸の他端を通すようにすることが好ましい。これにより、例えば、一方の手で上方の連結部３やその近傍の弾性アーム２を掴み、他方の手で紐状部材６の他端を掴んでこの紐状部材６が上方の連結部３から延びるように引っ張ると、下方の連結部４が上方の連結部３に近づく方向に移動しつつ一対の弾性アーム２，２が弾性力に抗して中央が互いに離れる方向にそれぞれアーチ状に弾性変形して一対の弾性アーム２，２が開状態になるようになっている。なお、この開状態は、一対の弾性アーム２，２の上下の連結部３、４が互いに近付くように当該一対の弾性アーム２，２をアーチ状に弾性変形させて開状態にすることができれば、上述の動作によらず他の動作で開状態にしてもよい。また、紐状部材６の一端を上方の連結部３に係合させて、その他端を下方の連結部４を貫通させるようにしてもよい。
【００１８】
紐状部材６の上方の連結部３を貫通して上方の連結部３から外部に延びる箇所には、一対の弾性アーム２，２が開状態になった時、その開状態を保持すべく上方の連結部３に離脱可能に係合する掛止部７が設けられている。掛止部７としては、紐状部材６の途中に設けられた１つ又は２つ以上の係合片でもよいが、一対の弾性アーム２，２の開状態を任意の状態に保持し得るものが好ましく、例えば、コードストッパー７０等を用いることができる。コードストッパー７０としては、例えば、公知のものを用いることができる。穴３１をそれぞれ貫通して上方の連結部３から延びる２本の釣り糸である紐状部材６をコードストッパー７０に通し、当該コードストッパー７０を紐状部材６の他端近傍に係合することで、コードストッパー７０を掛止部７として用いることができる。
【００１９】
また、紐状部材６の他端には、紐状部材６を引っ張り易くするために摘み部１１を設けることが好ましい。摘み部１１としては、紐状部材６を引っ張り易くすることができればその形状は特に限定されず、例えば、掴んだときに弾力性がある材料で円形、多角形等の薄い平板状に形成されているものでもよい。
【００２０】
上方の連結部３には、フック８が取り付けられている。フック８は、一対の弾性アーム２，２を釣り合った状態で吊り下げ支持するもので、上方の連結部３又は一対の弾性アーム２，２の上方に固定されていてもよいが、折り畳み可能に取り付けられていることが好ましい。フック８の折り畳み構造は、折り畳むことができれば特に限定されず、例えば、フック８を折り曲げ可能な材料で形成してもよいし、合成樹脂等で形成したフック８を釣り糸などの合成樹脂製の糸状体等の紐部材８１によって取り付けるようにしてもよい。
【００２１】
フック８を紐部材８１によって取り付ける場合、フック８と上方の連結部３とを紐部材８１の両端にそれぞれ結んでもよいが、一対の弾性アーム２，２を釣り合った状態で吊り下げ支持する吊下げ位置から折り畳まれ難くなるようにフック８が折り畳み可能に取り付けられていることが好ましい。例えば、フック８の基端部に直線状に延びる当接部８ａを設け、この当接部８ａを上方の連結部３の上端部（外表面）に当接部８ａと連結部４の上端部とが直交した状態で当接させ、紐部材８１で当接部８ａを連結部４の外表面に押し付けるように当接部８ａと連結部４とを連結する。
【００２２】
具体的には、上方の連結部３の幅方向の両側に幅方向に沿ってスリット３２をそれぞれ形成し、紐部材８１の途中を上方の連結部３の内表面に当接させてスリット３２を通し一方の紐部材８１をフック８の貫通穴８２に通して他方の紐部材８１に結んで、当接部８ａを連結部４の外表面に押し付けるように当接部８ａと連結部４とを連結するようにしてもよい（特に図２参照。）。これにより、フック８は、紐部材８１に沿って折り畳めることが可能であるとともに、紐部材８１を軸に回動させて折り畳め、かつ、吊下げ位置から折り畳まれ難くなるようになっている。
【００２３】
また、フック８は、当接部８ａを含むフック自体が延在する平面と、弾性アームが延在する平面とができるだけ、同一平面になるように移動可能に上方の連結部３に取り付けられていることが好ましい。このように構成すれば、不使用時にフックをハンガーラック等にかけてハンガーを収納するときに、収納し得るハンガーの数を増やすことができる。例えば、上方の連結部３から棒状部材を上方に突出し、この棒状部材に対してフックを少なくとも９０°（一対の弾性アームが開状態になったときの弾性アームが延在する平面に対してフックが延在する平面とが同一平面の位置から互いに直交する直交位置までの間の９０°）で回転可能に取り付け、さらに、フックのみ又はフックと棒状部材の一部を弾性アームに対して折り畳み可能にしてもよいし、他の構成でフックを移動可能に取り付けるようにしてもよい。
【００２４】
次に、上記のように構成した本実施形態の第１の折り畳みハンガー１を使用する場合について説明する。
例えば、一方の手で上方の連結部３やその近傍の弾性アーム２を掴み、他方の手で紐状部材６の他端の摘み部１１を摘まんでこの紐状部材６の他端側が上方の連結部３から上方に延びるように、すなわち下方の連結部４が上方の連結部３に近づくように引っ張る。すると、下方の連結部４が上方の連結部３に近づくとともに、一対の弾性アーム２，２が弾性力に抗して中央が互いに離れる方向にそれぞれアーチ状に弾性変形して開状態になる。
【００２５】
この開状態のとき、紐状部材６の他端近傍に係合しているコードストッパー７０の係合を解除してコードストッパー７０を紐状部材６に沿って移動して上方の連結部３に当接又は近接させた状態で、コードストッパー７０を紐状部材６に係合させる。なお、この開状態とコードストッパー７０の解除・移動、係合とを同一の動作で行うようにしてもよい。係合後、紐状部材６を引っ張る力を弱める又は解除すると、一対の弾性アーム２，２は、弾性力により直線状に戻ろうとするが、コードストッパー７０が上方の連結部３に当接してアーチ状に保持される。すなわち、一対の弾性アーム２，２が開いた開状態に保持される。これにより、第１の折り畳みハンガー１を主に衣類を掛けるハンガーとして使用することが可能となる。
【００２６】
ハンガーとして使用した後、コードストッパー７０を上方の連結部３から離して、コードストッパー７０の紐状部材６への係合を解除してコードストッパー７０を紐状部材６に沿って紐状部材６の他端近傍に移動しその他端近傍の紐状部材６に係合させる。これにより、一対の弾性アーム２，２は、弾性力によりアーチ状から直線状に延びた状態に戻って互いに重ね合わされて、折り畳み状態になる。この一対の弾性アーム２，２の間に紐状部材６が延びている。
【００２７】
以上のように、本実施形態の第１の折り畳みハンガー１は、折り畳まれたとき、幅が弾性アーム２の幅で、厚さが弾性アーム２の厚さの２倍程度であるので、嵩張ることがなく持ち運びや収納が容易でとても便利である。
【００２８】
紐状部材６が合成繊維製の糸状体又は帯状体であると、紐状部材６が切れ難く、一対の弾性アーム２，２の間に延びていても厚さが厚くなることもない。また、掛止部７に取り扱いが容易で操作性に優れているコードストッパー７０を用いることで、一対の弾性アーム２，２の開状態、すなわち、弾性アーム２のアーチ角度を任意の状態に簡単に保持することができる。さらに、フック８が折り畳み可能に取り付けられていることで、不使用時や収納時にフック８を折り畳めるので、一層持ち運びや収納が容易である。また、肩掛部２ａの厚さを厚く形成することで、開状態の一対の弾性アーム２，２に衣類等を掛けたとき、弾性アーム２，２の開状態の形が保持されるので、型崩れを抑制することができる。
【００２９】
図５及び図６は、第２の折り畳みハンガーを示す図である。この第２の折り畳みハンガーは、図５及び図６に示すように、肩掛部１０２ａを一対の肩掛アーム１０５，１０５で形成したことを特徴としている。なお、一対の肩掛アーム１０５，１０５以外の構成は、第１の折り畳みハンガー１と同じであるので、その説明を省略し同一符号を付することがある。
【００３０】
一対の肩掛アーム１０５，１０５は、例えば、合成樹脂で幅が狭い細長の平板状にそれぞれ形成されている。一対の肩掛アーム１０５，１０５は、折り畳み状態のとき、肩掛アーム１０５が弾性アーム１０２に積層され（重なり）、開状態のとき、下方側が互いに離間する方向に移動してハの字状に開き、衣類の肩部が掛けられるものである。肩掛アーム１０５の幅は、弾性アーム１０２の幅より長くてもよいが、弾性アーム１０２の幅以下の寸法であることが好ましく、例えば、弾性アーム１０２の幅と同じ寸法であることが好ましい。肩掛アーム１０５の厚さは、特に限定されないが、衣類等を掛けたとき、撓み難い寸法であることが好ましい。肩掛アーム１０５の長さは、衣類等を掛けられることができれば特に限定されない。
【００３１】
一対の肩掛アーム１０５，１０５は、折り畳み時、一対の弾性アーム１０２，１０２に積層状態（重なり合った状態）で一対の弾性アーム１０２，１０２の外表面に取り付けられている。すなわち、折り畳み時に、肩掛アーム１０５、弾性アーム１０２、紐部材６、弾性アーム１０２、肩掛アーム１０５が積層されている。一対の肩掛アーム１０５，１０５は、例えば、肩掛アーム１０５の２倍の長さのアーム素材を中間で折り曲げて２つ折りにして形成され、この一対の肩掛アーム１０５，１０５の内表面と一対の弾性アーム１０２，１０２の外表面をそれぞれ固着することで、一対の弾性アーム１０２，１０２の外表面に一対の肩掛アーム１０５，１０５が取り付けられる。この肩掛アーム１０５の弾性アーム１０２への取付箇所（固着箇所）は、折り畳み状態のとき、肩掛アーム１０５が弾性アーム１０２に重なり、開状態のとき、下方側が互いに離間する方向に移動してハの字状に開くならば特に限定されず、例えば、弾性アーム１０２の上方である。
【００３２】
この場合の一対の弾性アーム１０２は、一体形成されたものでもよいし、２つ折りタイプのものでもよい。一対の弾性アーム１０２が２つ折りタイプの場合には、一対の肩掛アーム１０５が連結部材としても作用するようになっている。なお、一対の肩掛アーム１０５，１０５は、個別に形成して２つの肩掛アームを一対の弾性アームの肩掛部の外表面上に例えば固着等により取り付けてもよい。この場合、肩掛アームの取付箇所は、折り畳み状態のとき、弾性アームに重なり、開状態のとき、下方側が互いに離間する方向に移動してハの字状に開くならば、弾性アームの肩掛部の上方側、中央側、又は下方側のいずれの箇所でもよい。
【００３３】
このように構成した第２の折り畳みハンガー１００は、前記の第１の折り畳みハンガー１と略同じ作用効果を奏する。すなわち、例えば、一方の手で上方の連結部１０３やその近傍の弾性アーム１０２を掴み、他方の手で紐状部材６の他端の摘み部１１を摘まんでこの紐状部材６の他端側が上方の連結部３から上方に延びるように引っ張ると、一対の弾性アーム１０２，１０２が弾性力に抗して中央が互いに離れる方向にそれぞれアーチ状に弾性変形して開状態になる。この開状態のとき、コードストッパー７０を上方の連結部１０３に当接又は近接させた状態で紐状部材６に係合させることで、一対の弾性アーム２，２が開状態に保持される。このとき、一対の肩掛アーム１０５，１０５は、下方側が互いに離間する方向に移動してハの字状に開き、衣類の肩部が掛けられるようになる。これにより、第２の折り畳みハンガー１００を主に衣類を掛けるハンガーとして使用することが可能となる。
【００３４】
ハンガーとして使用した後、コードストッパー７０の紐状部材６への係合を解除してコードストッパー７０を紐状部材６に沿って紐状部材６の他端近傍に移動しその他端近傍の紐状部材６に係合させることにより、一対の弾性アーム１０２，１０２が、弾性力によりアーチ状から直線状に延びた状態に戻って互いに重ね合わされるとともに、一対の肩掛アーム１０５，１０５は下方側が互いに近づく方向に移動して一対の弾性アーム１０２，１０２の外表面に積層されて（重なって）、折り畳み状態になる。
【００３５】
以上のように、本実施形態の第２の折り畳みハンガー１００は、折り畳まれたとき、幅が弾性アーム１０２の幅で、厚さが弾性アーム１０２と肩掛アーム１０５の厚さを足した２倍程度であるので、嵩張ることがなく持ち運びや収納が容易でとても便利である。
【００３６】
紐状部材６が合成繊維製の糸状体又は帯状体であると、紐状部材６が切れ難く、一対の弾性アーム１０２，１０２の間に延びていても厚さが厚くなることもない。また、掛止部７に取り扱いが容易で操作性に優れているコードストッパー７０を用いることで、一対の弾性アーム１０２，１０２の開状態、すなわち、弾性アーム１０２のアーチ角度を任意の状態に簡単に保持することができる。さらに、フック８が折り畳み可能に取り付けられていることで、不使用時や収納時にフック８を折り畳めるので、一層持ち運びや収納が容易である。また、ハの字状に開いた肩掛アーム１０５が衣類の肩部が掛けられる肩掛部１０２ａとなるので、第２の折り畳みハンガー１００の長さを短くすることができる。さらに、弾性アーム１０２に衣類等を掛けなくてもよいから、弾性アーム１０２の長さを短くすることができ、一層第２の折り畳みハンガー１００の小型化を図れる。
【符号の説明】
【００３７】
１  第１の折り畳みハンガー
２  弾性アーム
２ａ  肩掛部
３  上方の連結部
４  下方の連結部
６  紐状部材
７  掛止部
８  フック
７０  コードストッパー
１００  第２の折り畳みハンガー
１０２  弾性アーム
１０２ａ  肩掛部
１０３  上方の連結部
１０４  下方の連結部
１０５  肩掛アーム
【図１】
0003182756.tif 000003
【図２】
0003182756.tif 000004
【図３】
0003182756.tif 000005
【図４】
0003182756.tif 000006
【図５】
0003182756.tif 000007
【図６】
0003182756.tif 000008